(57)【要約】  二次元フリッカ測定装置は、二次元撮像素子と、二次元撮像素子が測定対象物（ＤＵＴ画面）を撮影することにより得られる測定対象物の測光量を基にして、測定対象物に設定された複数の測定領域のぞれぞれのフリッカ値を算出する算出部と、複数の測定領域のそれぞれのフリッカ値を、所定の角度と方向から複数の測定領域のそれぞれが測光された場合に相当するフリッカ値に補正する補正部と、を備える。
2020054209.tif 000002
【特許請求の範囲】
【請求項１】
二次元撮像素子と、
前記二次元撮像素子が測定対象物を撮影することにより得られる前記測定対象物の測光量を基にして、前記測定対象物に設定された複数の測定領域のぞれぞれのフリッカ値を算出する算出部と、
前記複数の測定領域のそれぞれの前記フリッカ値を、所定の角度と方向から前記複数の測定領域のそれぞれが測光された場合に相当する前記フリッカ値に補正する補正部と、を備える、二次元フリッカ測定装置。
【請求項２】
前記複数の測定領域のそれぞれの前記フリッカ値を、前記所定の角度と方向から前記複数の測定領域のそれぞれが測光された場合に相当する前記フリッカ値に変換するテーブルを予め記憶する記憶部をさらに備え、
前記補正部は、前記テーブルを用いて前記補正をする、請求項１に記載の二次元フリッカ測定装置。
【請求項３】
前記算出部によって算出された、前記複数の測定領域のそれぞれの前記フリッカ値を、前記補正部が前記補正をするか否かを選択する操作が可能な操作部をさらに備える、請求項１又は２に記載の二次元フリッカ測定装置。
【請求項４】
二次元撮像素子が測定対象物を撮影することにより得られる前記測定対象物の測光量を基にして、前記測定対象物に設定された複数の測定領域のぞれぞれのフリッカ値を算出する算出ステップと、
前記複数の測定領域のそれぞれの前記フリッカ値を、所定の角度と方向から前記複数の測定領域のそれぞれが測光された場合に相当する前記フリッカ値に補正する補正ステップと、を備える、二次元フリッカ測定方法。
【請求項５】
二次元撮像素子が測定対象物を撮影することにより得られる前記測定対象物の測光量を基にして、前記測定対象物に設定された複数の測定領域のぞれぞれのフリッカ値を算出する算出ステップと、
前記複数の測定領域のそれぞれの前記フリッカ値を、所定の角度と方向から前記複数の測定領域のそれぞれが測光された場合に相当する前記フリッカ値に補正する補正ステップと、をコンピュータに実行させる二次元フリッカ測定プログラム。
【請求項６】
前記補正ステップは、前記算出ステップによって算出された、前記複数の測定領域のそれぞれの前記フリッカ値を、前記所定の角度と方向から前記複数の測定領域のそれぞれが測光された場合に相当する前記フリッカ値に変換するテーブルを用いて、前記補正をする、請求項５に記載の二次元フリッカ測定プログラム。
【請求項７】
前記算出ステップの前に、前記複数の測定領域のそれぞれに割り当てられた複数の補正係数を含む前記テーブルを予め生成する生成ステップを、さらにコンピュータに実行させる、請求項６に記載の二次元フリッカ測定プログラム。
【請求項８】
前記生成ステップは、
前記測定対象物と同じ機種の測定対象物Ａに設定された、複数の測定領域Ｂのそれぞれについて、前記所定の角度と方向から測定された前記フリッカ値と、
前記複数の測定領域のそれぞれの前記フリッカ値が測定される際に、前記二次元撮像素子を備える二次元フリッカ測定装置が設置される位置から、前記二次元フリッカ測定装置を用いて得られた、前記複数の測定領域Ｂのそれぞれの前記補正前の前記フリッカ値と、
を基にして、前記複数の補正係数を算出する、請求項７に記載の二次元フリッカ測定プログラム。
【請求項９】
前記生成ステップは、
前記測定対象物と同じ機種の測定対象物Ａに設定された所定の測定領域Ｃについて、前記所定の角度と方向から測定された前記フリッカ値と、
前記所定の測定領域Ｃについて、角度と方向の複数の組み合わせの下で測定された複数の前記フリッカ値と、
を基にして、前記複数の補正係数を算出する、請求項７に記載の二次元フリッカ測定プログラム。
【発明の詳細な説明】
【技術分野】
【０００１】
本発明は、例えば、液晶ディスプレイの画面のフリッカ値を測定する技術に関する。
【背景技術】
【０００２】
フリッカ測定装置として、スポット型のフリッカ測定装置と二次元フリッカ測定装置とがある。スポット型のフリッカ測定装置は、プローブを備えており、プローブが測定領域（スポット領域）に近づけられた状態で、測定領域のフリッカ値を測定する（例えば、特許文献１）。二次元フリッカ測定装置は、二次元撮像素子を備えており、二次元領域のフリッカ値を測定する（例えば、特許文献２）。【０００３】
ディスプレイの画面に発生するフリッカのムラを評価するために、ディスプレイの画面に設定された複数の測定領域のそれぞれのフリッカ値が測定される。二次元フリッカ測定装置によれば、二次元領域のフリッカ値を測定することができるので、１台の二次元フリッカ測定装置で、複数の測定領域のそれぞれのフリッカ値を一度に測定することができる。【０００４】
二次元フリッカ測定装置は、二次元領域のフリッカ値を測定する。このため、二次元フリッカ測定装置から見た測定領域の角度と方向は、測定領域の位置に応じて異なる。本発明者は、液晶ディスプレイの画面の場合、角度が異なれば、フリッカ値が異なり、また、同じ角度でも方向が異なれば（例えば、左４５度の角度と右４５度の角度）、フリッカ値が異なることを見出した。本発明者は、液晶ディスプレイに配置された液晶の配向が原因と考えている。【０００５】
二次元フリッカ測定装置から見た測定領域の角度と方向が、測定領域の位置に応じて異なる。これにより、二次元フリッカ測定装置で測定されたフリッカ値を基にしたフリッカのムラと、人間が液晶ディスプレイの画面を見ているときに感じるフリッカのムラとに差が生じる。以下、詳しく説明する。【０００６】
例えば、大型、中型表示用の液晶ディスプレイの場合、人間が液晶ディスプレイの画面を見る位置と液晶ディスプレイの画面との距離は、比較的離れている。これに対して、二次元フリッカ測定装置を用いて、液晶ディスプレイの画面のフリッカ値を測定するとき、液晶ディスプレイの画面と二次元フリッカ測定装置との距離は、比較的近くにされている。この距離が比較的離れていれば、以下のデメリットが生じるからである。二次元フリッカ測定装置の二次元撮像素子で撮影される液晶ディスプレイの画面が小さくなるので、この画面に設定できる測定領域の数が少なくなる（測定解像度の低下）。また、液晶ディスプレイの画面のフリッカ値を測定するために要する面積が大きくなるので、フリッカ値の測定がされる施設において、設備のレイアウトの自由度が低下する。【０００７】
このように、人間が液晶ディスプレイの画面を見る位置と液晶ディスプレイの画面との距離が、二次元フリッカ測定装置と液晶ディスプレイの画面との距離と大きく異なることがある。この場合、二次元フリッカ測定装置から見た複数の測定領域のそれぞれの角度と方向と、人間が液晶ディスプレイの画面を見る位置から見た複数の測定領域のそれぞれの角度と方向とは、相違する。この結果、二次元フリッカ測定装置で測定されたフリッカ値を基にしたフリッカのムラと、人間が液晶ディスプレイの画面を見ているときに感じるフリッカのムラとに差が生じる。【０００８】
モバイル用の液晶ディスプレイの場合、サイズが小さいので、複数の液晶ディスプレイの画面が並べられ、まとめてフリッカ値が測定される。並べられた複数の液晶ディスプレイの画面のうち、二次元フリッカ測定装置の光軸付近に配置されていない液晶ディスプレイの画面は、二次元フリッカ測定装置から見て、斜め方向に位置する。このため、これらの液晶ディスプレイの画面については、人間が液晶ディスプレイの画面を見る角度、方向と異なる角度、方向からフリッカ値が測定されることになる。この結果、これらの液晶ディスプレイの画面については、二次元フリッカ測定装置で測定されたフリッカ値を基にしたフリッカのムラと、人間が液晶ディスプレイの画面を見ているときに感じられるフリッカのムラとに差が生じる。【０００９】
液晶ディスプレイの画面を例に説明したが、二次元フリッカ測定装置から見た測定領域の角度と方向に応じて、測定領域のフリッカ値が異なる性質を有する測定対象物であれば、同じ問題が生じる。
【先行技術文献】
【特許文献】
【００１０】
【特許文献１】特開２００２−３５０２８４号公報
【特許文献２】特開２００５−１０９５３５号公報
【発明の概要】
【００１１】
本発明は、二次元フリッカ測定装置から見た測定領域の角度と方向を考慮して、測定対象物に設定された複数の測定領域のそれぞれのフリッカ値を測定することができる二次元フリッカ測定装置、二次元フリッカ測定方法、および、二次元フリッカ測定プログラムを提供することを目的とする。
【００１２】
上述した目的を実現するために、本発明の一側面を反映した二次元フリッカ測定装置は、二次元撮像素子と、算出部と、補正部と、を備える。前記算出部は、前記二次元撮像素子が測定対象物を撮影することにより得られる前記測定対象物の測光量を基にして、前記測定対象物に設定された複数の測定領域のぞれぞれのフリッカ値を算出する。前記補正部は、前記複数の測定領域のそれぞれの前記フリッカ値を、所定の角度と方向から前記複数の測定領域のそれぞれが測光された場合に相当する前記フリッカ値に補正する。
【００１３】
発明の１又は複数の実施形態により与えられる利点及び特徴は以下に与えられる詳細な説明及び添付図面から十分に理解される。これら詳細な説明及び添付図面は、例としてのみ与えられるものであり本発明の限定の定義として意図されるものではない。
【図面の簡単な説明】
【００１４】
【図１】測定対象物となる画面を有する液晶カラーディスプレイ（ＤＵＴ）と二次元フリッカ測定装置との関係を示す図である。
【図２】複数の測定領域が設定されたＤＵＴ画面の平面の模式図である。
【図３】実施形態に係る二次元フリッカ測定装置、および、この測定装置と通信可能なＰＣのそれぞれの構成を示すブロック図である。
【図４】テーブルの一例を説明する説明図である。
【図５】二次元フリッカ測定装置からＤＵＴ画面を見た状態の模式図である。
【図６Ａ】テーブルの第１の生成方法を説明するフローチャートの前半である。
【図６Ｂ】テーブルの第１の生成方法を説明するフローチャートの後半である。
【図７】設定画面の初期状態を説明する説明図である。
【図８】機種名および複数の測定領域Ｂのそれぞれの位置が入力された後の設定画面を説明する説明図である。
【図９】水平角と垂直角の測定結果を含む設定画面を説明する説明図である。
【図１０】フリッカ値を測定したい水平角と垂直角が入力された後の設定画面を説明する説明図である。
【図１１】測定領域Ｂ−１について、水平角０度かつ垂直角０度（所定の角度と方向の一例）からフリッカ値が測定されている状態を示す模式図である。
【図１２】フリッカ値が入力された状態の設定画面を説明する説明図である。
【図１３】図１２に示す設定画面に含まれる次へキーが操作されることにより、切り替えられた設定画面を説明する説明図である。
【図１４】図１３に示す測定領域欄にフリッカ値が入力された設定画面を説明する説明図である。
【図１５】テーブルを含む設定画面を説明する説明図である。
【図１６Ａ】テーブルの第２の生成方法を説明するフローチャートの前半である。
【図１６Ｂ】テーブルの第２の生成方法を説明するフローチャートの後半である。
【図１７】水平角と垂直角の測定結果を含む設定画面を説明する説明図である。
【図１８】測定領域Ｂ−８（測定領域Ｃ）について、水平角と垂直角を変えて、フリッカ値が測定されている状態を示す模式図である。
【図１９】フリッカ値が入力された状態の設定画面を説明する説明図である。
【図２０】図１９に示す設定画面に含まれる次へキーが操作されることにより、切り替えられた設定画面を説明する説明図である。
【図２１】角度欄に入力した水平角と垂直角が、図２０に示す測定領域欄に含まれる水平角と垂直角の１５個の組み合わせのいずれとも一致しない場合に表示される設定画面を説明する説明図である。
【図２２】テーブルを含む設定画面を説明する説明図である。
【図２３】実施形態に係る二次元フリッカ測定装置が、テーブルを用いてフリッカを測定する動作について説明するフローチャートである。
【図２４】フリッカ値の測定のために並べて配置された複数のスマートフォンの模式図である。
【発明を実施するための形態】
【００１５】
以下、図面を参照して、本発明の１又は複数の実施形態が説明される。しかし、発明の範囲は、開示された実施形態に限定されない。
【００１６】
各図において、同一符号を付した構成は、同一の構成であることを示し、その構成について、既に説明している内容については、その説明を省略する。本明細書において、個別の構成を指す場合にはハイフンを付した参照符号（例えば、測定領域１０−１）で示し、総称する場合にはハイフンを省略した参照符号（例えば、測定領域１０）で示す。
【００１７】
図１は、測定対象物となる画面１を有する液晶カラーディスプレイ（ＤＵＴ＝Ｄｅｖｉｃｅ  Ｕｎｄｅｒ  Ｔｅｓｔ）と二次元フリッカ測定装置３との関係を示す図である。測定対象物は、画像を表示する機能を有しており、実施形態では、ＤＵＴの画面１（以下、ＤＵＴ画面１）を例にして説明する。測定対象物は、液晶ディスプレイの画面に限らず、他に、例えば、液晶プロジェクターの投写画面、投影画面がある。
【００１８】
二次元フリッカ測定装置３は、測定者の指示に基づいて、ＤＵＴ画面１に複数の測定領域を設定し、複数の測定領域について、同時にフリッカ値を測定する。図２は、複数の測定領域１０が設定されたＤＵＴ画面１の平面の模式図である。ＤＵＴ画面１には、１５個の測定領域１０−１〜１０−１５が二次元に設定されている。ＤＵＴ画面１に設定される測定領域１０の数は、複数であればよく、１５に限定されない。隣り合う測定領域１０の間には、隙間が形成されていないが、隙間が形成されていてもよい。測定領域１０の形状は、矩形であるが、これに限定されず、円形でもよい。
【００１９】
図３は、実施形態に係る二次元フリッカ測定装置３、および、この測定装置と通信可能なＰＣ（Ｐｅｒｓｏｎａｌ  Ｃｏｍｐｕｔｅｒ）５のそれぞれの構成を示すブロック図である。二次元フリッカ測定装置３は、光学レンズ３１と、二次元撮像素子３２と、演算処理部３３と、操作部３４と、通信部３５と、を備える。光学レンズ３１は、ＤＵＴ画面１の全体からの光Ｌを収束する。光学レンズ３１で収束された光Ｌは、二次元撮像素子３２で受光される。
【００２０】
二次元撮像素子３２は、二次元の撮影領域を有する画像センサである（例えば、ＣＭＯＳセンサ、ＣＣＤセンサ）。二次元撮像素子３２は、画像を表示したＤＵＴ画面１を、設定されたフレームレートで撮影し、撮影した画像の輝度信号ＳＧを出力する。輝度信号ＳＧは、測光量を示す信号の具体例である。
【００２１】
輝度は、視感度曲線Ｖ（λ）の分光感度特性を持つ二次元撮像素子３２が測定したＤＵＴ画面１の光強度である。輝度信号ＳＧは、この光強度を示す信号である。輝度信号ＳＧを例にして説明するが、画像情報信号でもよい。画像情報信号は、任意の分光感度特性を持つ二次元撮像素子３２がＤＵＴ画面１を撮影することにより、二次元撮像素子３２が生成する光強度信号（ＲＡＷ画像データ）である。測光量は、輝度および画像情報信号を総称する物理量である。
【００２２】
演算処理部３３は、フリッカ値の測定に必要な各種の演算および処理を実行するハードウェアプロセッサである。演算処理部３３は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、および、ＨＤＤ（Ｈａｒｄ  Ｄｉｓｋ  Ｄｒｉｖｅ）等によって実現される。演算処理部３３は、機能ブロックとして、算出部３３１と、補正部３３２と、記憶部３３３と、を備える。
【００２３】
図２および図３を参照して、算出部３３１は、二次元撮像素子３２がＤＵＴ画面１を撮影することにより得られるＤＵＴ画面１の測光量を基にして、ＤＵＴ画面１に設定された複数の測定領域１０（図２の場合、測定領域１０−１〜１０−１５）のぞれぞれのフリッカ値を算出する。フリッカ値の算出方式として、コントラスト方式とＪＥＩＴＡ（Ｊａｐａｎ  Ｅｌｅｃｔｒｏｎｉｃｓ  ａｎｄ  Ｉｎｆｏｒｍａｔｉｏｎ  Ｔｅｃｈｎｏｌｏｇｙ  Ｉｎｄｕｓｔｒｉｅｓ  Ａｓｓｏｃｉａｔｉｏｎ）方式とがある。算出部３３１は、コントラスト方式、ＪＥＩＴＡ方式のいずれでもフリッカ値を算出することができる。
【００２４】
補正部３３２は、複数の測定領域１０のそれぞれのフリッカ値を、所定の角度と方向から複数の測定領域１０のそれぞれが測光された場合に相当するフリッカ値に補正する。所定の角度と方向について、図２を参照して説明する。所定の角度と方向は、例えば、ＤＵＴ画面１の法線を基準にして定められる。二次元フリッカ測定装置３の光軸ＡＸが、水平角０度かつ垂直角０度で規定される角度と方向にされたとき、光軸ＡＸと法線とが一致する。所定の角度と方向は、例えば、人間がＤＵＴ画面１を見る位置から見た測定領域１０の角度と方向と同じでもよいし、略同じでもよい。略同じとは、二次元フリッカ測定装置３で測定されたフリッカ値を基にしたフリッカのムラと、人間がＤＵＴ画面１を見る位置からＤＵＴ画面１を見ているときに感じるフリッカのムラとに差が生じない程度を意味する。
【００２５】
図２および図３を参照して、記憶部３３３は、テーブル３３４を予め記憶している。テーブル３３４は、複数の測定領域１０のそれぞれに割り当てられた複数の補正係数を含む。テーブル３３４は、算出部３３１によって算出された、複数の測定領域１０のそれぞれのフリッカ値を、所定の角度と方向から複数の測定領域１０のそれぞれが測光された場合に相当するフリッカ値に変換するために用いられる。補正部３３２は、テーブル３３４を用いて補正をする。
【００２６】
図４は、テーブル３３４の一例を説明する説明図である。角度と方向は、水平角と垂直角で規定されている。テーブル３３４には、二次元フリッカ測定装置３から見た測定領域１０−１〜１０−１５（図２）の水平角と垂直角の値が格納されている。測定領域１０−１の中心の水平角と垂直角が、測定領域１０−１の水平角と垂直角とされる。測定領域１０−２〜１０−１５についても同様である。テーブル３３４には、測定領域１０−１〜１０−１５のそれぞれに割り当てられた補正係数が格納されている。
【００２７】
角度と方向が、水平角と垂直角で規定される場合、測量機器が水平角と垂直角を測定する手法と同じ手法で、水平角と垂直角を測定することができる。この場合、二次元フリッカ測定装置３は、測量機器が水平角と垂直角を測定する機能と同じ機能を有し、この機能を用いて、水平角と垂直角を測定する。
【００２８】
角度と方向は、測量機器が水平角と垂直角を測定する手法と別の手法を用いても規定することができる。この一例について説明する。図５は、二次元フリッカ測定装置３からＤＵＴ画面１を見た状態の模式図である。例えば、二次元撮像素子３２の画角範囲が、１０度未満の場合、１０度以上２０度未満の場合、２０度以上３０度未満の場合、３０度以上４０度未満の場合に分ける。二次元撮像素子３２の有効画素領域の座標と画角範囲との対応関係を示すテーブルが、記憶部３３３に予め記憶されている。
【００２９】
演算処理部３３は、ＤＵＴ画面１上における測定領域１０−１の中心の座標を、二次元撮像素子３２の有効画素領域上における座標に変換する。変換された座標（以下、変換座標と記載する）が測定領域１０−１の方向を示す。演算処理部３３は、前記テーブルを参照して、前記変換座標が属する画角範囲を特定する。特定された画角範囲が、測定領域１０−１の角度を示す。測定領域１０−２〜１０−１５についても同様である。
【００３０】
図３を参照して、操作部３４は、タッチパネル、ハードキー等により実現される。操作部３４は、光学レンズ３１のピント合わせ、二次元撮像素子３２のフレームレートの設定、フリッカ値の測定命令の入力等に用いられる。また、操作部３４は、フリッカ値を補正するモードとフリッカ値を補正しないモードとを選択する操作がされる。フリッカ値を補正するモードが選択されているとき、補正部３３２は、算出部３３１によって算出された複数の測定領域１０のそれぞれのフリッカ値を補正する。フリッカ値を補正しないモードが選択されているとき、補正部３３２は、算出部３３１によって算出された複数の測定領域１０のそれぞれのフリッカ値を補正しない。
【００３１】
通信部３５は、二次元フリッカ測定装置３が外部のＰＣ５と通信する通信インターフェイスである。
【００３２】
ＰＣ５は、通信部５１と、演算処理部５２と、入力部５３と、表示部５４と、を備える。
【００３３】
通信部５１は、ＰＣ５が外部の二次元フリッカ測定装置３と通信する通信インターフェイスである。
【００３４】
演算処理部５２は、ＰＣ５の機能を実現するための各種の演算および処理を実行するハードウェアプロセッサである。演算処理部５２は、ＣＰＵ、ＲＡＭ、ＲＯＭ、および、ＨＤＤ等によって実現される。演算処理部５２は、機能ブロックとして、設定部５２１と、生成部５２２と、記憶部５２３と、を備える。
【００３５】
設定部５２１は、フリッカ値の測定に必要な各種設定（例えば、測定領域１０の中心位置の指定、測定領域１０の数）をする。生成部５２２は、テーブル３３４の生成をする。記憶部５２３は、テーブル３３４の生成に必要な情報（水平角、垂直角、フリッカ値等）を記憶する。
【００３６】
入力部５３は、ＰＣ５に命令、データ、情報等を入力する装置であり、キーボード、マウス等によって実現される。表示部５４は、ＰＣ５の出力部として機能し、液晶ディスプレイ等によって実現される。
【００３７】
なお、演算処理部３３，５２の機能の一部又は全部は、ＣＰＵによる処理に替えて、又は、これと共に、ＦＰＧＡ（ｆｉｅｌｄ  ｐｒｏｇｒａｍｍａｂｌｅ  ｇａｔｅ  ａｒｒａｙ）による処理によって実現されてもよい。又、同様に、演算処理部３３，５２の機能の一部又は全部は、ソフトウェアによる処理に替えて、又は、これと共に、専用のハードウェア回路による処理によって実現されてもよい。
【００３８】
演算処理部３３は、図３に示す複数の要素によって構成される。従って、演算処理部３３を実現するハードウェアであるＨＤＤには、これらの要素を実現するためのプログラムが格納されている。すなわち、このＨＤＤには、算出部３３１および補正部３３２のそれぞれを実現するためのプログラムが格納されている。これらのプログラムは、算出プログラム、補正プログラムと表現される。
【００３９】
同様に、演算処理部５２は、図３に示す複数の要素によって構成される。従って、演算処理部５２を実現するハードウェアであるＨＤＤには、これらの要素を実現するためのプログラムが格納されている。すなわち、このＨＤＤには、設定部５２１および生成部５２２のそれぞれを実現するためのプログラムが格納されている。これらのプログラムは、設定プログラム、生成プログラムと表現される。
【００４０】
これらのプログラムは、要素の定義を用いて表現される。算出部３３１及び算出プログラムを例にして説明する。算出部３３１は、二次元撮像素子３２が測定対象物を撮影することにより得られる測定対象物の測光量を基にして、測定対象物に設定された複数の測定領域１０のぞれぞれのフリッカ値を算出する。算出プログラムは、二次元撮像素子３２が測定対象物を撮影することにより得られる測定対象物の測光量を基にして、測定対象物に設定された複数の測定領域１０のぞれぞれのフリッカ値を算出するプログラムである。
【００４１】
演算処理部３３，５２を実現するハードウェアであるＣＰＵによって実行されるこれらのプログラム（算出プログラム、補正プログラム、設定プログラム、生成プログラム）のフローチャートが、後で説明する図６Ａ、図６Ｂ、図１６Ａ、図１６Ｂ、図２３である。
【００４２】
テーブル３３４の生成方法について説明する。図６Ａは、テーブル３３４の第１の生成方法を説明するフローチャートの前半である。図６Ｂは、テーブル３３４の第１の生成方法を説明するフローチャートの後半である。図２を参照して、二次元フリッカ測定装置３は、ＤＵＴ画面１がフリッカの測定位置にセットされたとき、光軸ＡＸがＤＵＴ画面１の中心に位置し、ＤＵＴ画面１全体が撮影可能な位置にセットされている。
【００４３】
図３および図６Ａを参照して、測定者は、入力部５３を操作して、テーブル３３４の生成命令をＰＣ５に入力する。これにより、演算処理部５２は、テーブル３３４の生成プログラムを起動させ、図７に示す設定画面６０を表示部５４に表示させる（ステップＳ１）。図７は、設定画面６０の初期状態を説明する説明図である。設定画面６０は、文字領域６００、機種名欄６０１、測定領域欄６０２、および、次へキー６０３を含む。
【００４４】
図７に示す設定画面６０の文字領域６００には、「ＤＵＴの機種名およびフリッカの測定領域を入力して下さい。入力した機種名のＤＵＴのうち、今回、フリッカを測定するＤＵＴの中から１つを選択してフリッカの測定位置にセットして下さい。」が表示される。測定位置にセットされたＤＵＴの画面（ＤＵＴ画面１）が、このＤＵＴと同じ機種のＤＵＴの画面（ＤＵＴ画面Ａ）となる。
【００４５】
図３、図６Ａおよび図７を参照して、測定者は、入力部５３を用いて、フリッカの測定対象となるＤＵＴの機種名を機種名欄６０１に入力し、測定領域欄６０２に複数の測定領域Ｂのそれぞれの位置を入力する（ステップＳ２）。複数の測定領域Ｂは、ＤＵＴ画面Ａに設定される。
【００４６】
図８は、機種名および複数の測定領域Ｂのそれぞれの位置が入力された後の設定画面６０を説明する説明図である。機種名欄６０１には、機種名として、「○○○」が入力されている。設定部５２１は、入力された位置に従って、ＤＵＴ画面Ａに複数の測定領域Ｂを設定し、設定された複数の測定領域Ｂを図８に示す測定領域欄６０２に表示させる。測定領域Ｂの数は１５とする。測定領域欄６０２には、ＤＵＴ画面Ａに設定された測定領域Ｂ−１〜Ｂ−１５が表示されている。測定領域Ｂの数と位置は、ＤＵＴ画面１に設定された測定領域１０（図２）の数と位置と同じである。なお、これらが異なっていてもよい。異なっている場合、生成部５２２は、複数の測定領域Ｂのフリッカ値を補間することにより、必要となるフリッカ値を求める。
【００４７】
測定者は、入力部５３を用いて、図８に示す設定画面６０に含まれる次へキー６０３を操作する。生成部５２２は、この操作に従って、二次元フリッカ測定装置３に対して、ＤＵＴ画面Ａに設定された測定領域Ｂ−１〜Ｂ−１５のそれぞれの水平角と垂直角を測定する命令をする（ステップＳ３）。通信部５１は、この命令を通信部３５に送信する。
【００４８】
通信部３５が命令を受信したとき、二次元フリッカ測定装置３は、測定領域Ｂ−１〜Ｂ−１５のそれぞれの水平角と垂直角を測定する（ステップＴ１）。演算処理部３３は、通信部３５に対して、水平角、垂直角の測定結果を送信する命令をする。通信部３５は、これらの測定結果を通信部５１に送信する（ステップＴ２）。
【００４９】
通信部５１が測定結果を受信したとき、演算処理部５２は、図９に示す設定画面６０を表示部５４に表示させる（ステップＳ４）。図９は、水平角と垂直角の測定結果を含む設定画面６０を説明する説明図である。測定領域欄６０２には、測定領域Ｂ−１〜Ｂ−１５のそれぞれの水平角と垂直角が示されている。
【００５０】
図９に示す設定画面６０の文字領域６００には、「フリッカ値を測定したい水平角と垂直角を入力して下さい。」が表示される。フリッカ値を測定したい水平角と垂直角とは、所定の角度と方向の意味である。設定画面６０には、角度欄６０４が追加されている。測定者は、入力部５３を操作して、角度欄６０４に、フリッカ値を測定したい水平角と垂直角（所定の角度と方向）を入力する（ステップＳ５）。例えば、水平角０度、垂直角０度が入力されたとする。
【００５１】
測定者は、図９に示す設定画面６０に含まれる次へキー６０３を操作する。演算処理部５２は、図１０に示す設定画面６０を表示部５４に表示させる（ステップＳ６）。図１０は、フリッカ値を測定したい水平角と垂直角が入力された後の設定画面６０を説明する説明図である。測定領域欄６０２には、測定領域Ｂ−１〜Ｂ−１５のそれぞれについて、水平角０度、垂直角０度が表示され、フリッカ値は空欄にされている。文字領域６００には、「各測定領域に対して、水平角０度かつ垂直角０度の下でフリッカ値を測定して下さい。そして、測定されたフリッカ値を入力して下さい。」が表示される。
【００５２】
図１１は、測定領域Ｂ−１について、水平角０度かつ垂直角０度（所定の角度と方向の一例）からフリッカ値が測定されている状態を示す模式図である。まず、測定者は、操作部３４（図３）を操作して、フリッカ値を補正しないモードにする。そして、測定者は、二次元フリッカ測定装置３から見て、測定領域Ｂ−１が水平角０度かつ垂直角０度となる位置に、二次元フリッカ測定装置３をセットする。測定者は、二次元フリッカ測定装置３を用いて、測定領域Ｂ−１のフリッカ値を測定する。この測定において、補正部３３２が用いられないので、測定されたフリッカ値は、算出部３３１が算出したフリッカ値（補正前のフリッカ値）である。測定されたフリッカ値がＦ−１とする。
【００５３】
次に、測定者は、二次元フリッカ測定装置３から見て、測定領域Ｂ−２が水平角０度かつ垂直角０度となる位置に、二次元フリッカ測定装置３をセットする。測定領域Ｂ−１のフリッカ値の測定と同様にして、測定領域Ｂ−２のフリッカ値が測定される。測定されたフリッカ値がＦ−２とする。測定領域Ｂ−３〜Ｂ−１５についても同様にしてフリッカ値が測定される。
【００５４】
以上のようにして、測定領域Ｂ−１〜Ｂ−１５のそれぞれについて、水平角０度かつ垂直角０度で測定されたフリッカ値Ｆ−１〜Ｆ−１５（補正前のフリッカ値）が測定される。フリッカ値Ｆ−１〜Ｆ−１５は、測定対象物（ＤＵＴ画面１）と同じ機種の測定対象物Ａ（ＤＵＴ画面Ａ）に設定された複数の測定領域Ｂのそれぞれについて、所定の角度と方向から測定されたフリッカ値である。なお、二次元フリッカ測定装置３の替わりに、スポット型のフリッカ測定装置を用いて、測定領域Ｂ−１〜Ｂ−１５のそれぞれについて、水平角０度かつ垂直角０度の下で、フリッカ値が測定されてもよい。
【００５５】
図３、図６Ａおよび図１０を参照して、測定者は、フリッカ値Ｆ−１〜Ｆ−１５が正常か否かを判断する。異常であれば、テーブル３３４の基礎にできないので、測定者は、ステップＳ１からやり直す。測定者は、フリッカ値Ｆ−１〜Ｆ−１５が正常と判断したとき、入力部５３を用いて、測定領域欄６０２に含まれるフリッカ値の欄に、フリッカ値Ｆ−１〜Ｆ−１５を入力する（ステップＳ７）。図１２は、フリッカ値が入力された状態の設定画面６０を説明する説明図である。演算処理部５２は、図１２に示す機種名欄６０１、測定領域欄６０２、角度欄６０４に含まれる情報を、記憶部５２３に記憶させる。記憶部５２３は、これらの情報を保存する。測定者は、図１２に示す設定画面６０に含まれる次へキー６０３を操作する。
【００５６】
図３および図６Ｂを参照して、演算処理部５２は、図１３に示す設定画面６０を表示部５４に表示させる（ステップＳ８）。図１３は、図１２に示す設定画面６０に含まれる次へキー６０３が操作されることにより、切り替えられた設定画面６０を説明する説明図である。測定領域欄６０２には、図９に示す測定領域欄６０２の内容に加えて、フリッカ値の入力欄がある。文字領域６００には、「二次元フリッカ測定装置３を元の位置にセットし、二次元フリッカ測定装置３を用いて、各測定領域の補正前のフリッカ値を測定して下さい。」が表示される。元の位置にセットとは、ＤＵＴ画面Ａがフリッカの測定位置にセットされたとき、光軸ＡＸがＤＵＴ画面Ａの中心に位置し、ＤＵＴ画面Ａの全体が撮影可能な位置に、二次元フリッカ測定装置３がセットされることである（例えば、図２に示す位置）。
【００５７】
測定者は、入力部５３を用いて、測定領域Ｂ−１〜Ｂ−１５のそれぞれの補正前のフリッカ値を測定する命令を入力する（ステップＳ９）。通信部５１は、この命令を通信部３５に送信する。
【００５８】
通信部３５が命令を受信したとき、二次元フリッカ測定装置３は、測定領域Ｂ−１〜Ｂ−１５のそれぞれの補正前のフリッカ値を測定する（ステップＴ３）。測定領域Ｂ−１〜Ｂ−１５のそれぞれの補正前のフリッカ値は、次のようにして得られる。二次元フリッカ測定装置３の位置は、元の位置である。すなわち、ＤＵＴ画面１に設定された測定領域１０−１〜１０−１５のそれぞれのフリッカ値を測定する位置と同じである。この状態で、二次元撮像素子３２は、ＤＵＴ画面Ａを撮影し、算出部３３１は、ＤＵＴ画面Ａが撮影されることにより得られるＤＵＴ画面Ａの測光量を基にして、測定領域Ｂ−１〜Ｂ−１５のぞれぞれのフリッカ値を算出する。算出されたフリッカ値が、ｆ−１〜ｆ−１５とする。これらのフリッカ値が、測定領域Ｂ−１〜Ｂ−１５のそれぞれの補正前のフリッカ値である。すなわち、ＤＵＴ画面１に設定された測定領域１０−１〜１０−１５のそれぞれのフリッカ値が測定される際に、二次元フリッカ測定装置３が設置される位置から、二次元フリッカ測定装置３を用いて得られた、測定領域Ｂ−１〜Ｂ−１５のそれぞれの補正前のフリッカ値である。
【００５９】
演算処理部３３は、通信部３５に対して、補正前のフリッカ値の測定結果（フリッカ値ｆ−１〜ｆ−１５）を送信する命令をする。通信部３５は、補正前のフリッカ値の測定結果を通信部５１に送信する（ステップＴ４）。
【００６０】
通信部５１が測定結果を受信したとき、演算処理部５２は、図１４に示すように、受信した測定結果を含む設定画面６０を表示部５４に表示させる（ステップＳ１０）。図１４は、図１３に示す測定領域欄６０２にフリッカ値が入力された設定画面６０を説明する説明図である。測定領域Ｂ−１〜Ｂ−１５のそれぞれのフリッカ値の欄には、フリッカ値ｆ−１〜ｆ−１５が表示されている。演算処理部５２は、図１４に示す機種名欄６０１、測定領域欄６０２、角度欄６０４に含まれる情報を、記憶部５２３に記憶させる。記憶部５２３は、これらの情報を保存する。
【００６１】
測定者は、図１４に示す設定画面６０の次へキー６０３を操作する。これにより、生成部５２２は、図１２に示すフリッカ値Ｆ−１〜Ｆ−１５と図１４に示すフリッカ値ｆ−１〜ｆ−１５とを基にして、測定領域１０−１〜１０−１５（図２）のそれぞれの補正係数を算出し、テーブル３３４（図４）を生成する（ステップＳ１１）。測定領域１０−１〜１０−１５は、それぞれ、測定領域Ｂ−１〜Ｂ−１５と対応する。同じ測定領域Ｂについて、図１２に示すフリッカ値Ｆを図１４に示すフリッカ値ｆで徐した値が、この測定領域Ｂと対応する測定領域１０に割り当てられる補正係数となる。測定領域Ｂ−１を例にして説明する。フリッカ値Ｆ−１／フリッカ値ｆ−１が、測定領域１０−１に割り当てられる補正係数である。
【００６２】
生成部５２２がテーブル３３４を生成した後、演算処理部５２は、図１５に示す設定画面６０を表示部５４に表示させる（ステップＳ１２）。図１５は、テーブル３３４を含む設定画面６０を説明する説明図である。この設定画面６０は、次へキー６０３の替わりに確定キー６０５を含む。文字領域６００には、「テーブルの内容を確認して下さい。問題なければ、確定キーを操作して下さい。」が表示されている。
【００６３】
測定者が、入力部５３を操作して、確定キー６０５を操作する。生成部５２２は、この操作に従って、機種名欄６０１に入力された機種名と、角度欄６０４に入力された角度と、が紐付けられたテーブル３３４を、二次元フリッカ測定装置３に送信する命令をする。さらに、生成部５２２は、これらが紐付けられたテーブル３３４を記憶部５２３に記憶させる（ステップＳ１３）。
【００６４】
通信部５１は、この命令に従って、機種名と角度が紐付けられたテーブル３３４を通信部３５に送信する。
【００６５】
通信部３５が、機種名と角度が紐付けられたテーブル３３４を受信したとき、演算処理部３３は、機種名と角度が紐付けられたテーブル３３４を記憶部３３３に記憶させる（ステップＴ５）。
【００６６】
以上が、テーブル３３４の第１の生成方法である。テーブル３３４の第２の生成方法を説明する。図１６Ａは、テーブル３３４の第２の生成方法を説明するフローチャートの前半である。図１６Ｂは、テーブル３３４の第２の生成方法を説明するフローチャートの後半である。ステップＳ１〜Ｓ３およびステップＴ１、ステップＴ２は、図６Ａのこれらと同じなので、説明を省略する。
【００６７】
通信部５１が水平角、垂直角の測定結果を受信したとき、演算処理部５２は、図１７に示す設定画面６０を表示部５４に表示させる（ステップＳ２１）。図１７は、水平角と垂直角の測定結果を含む設定画面６０を説明する説明図である。測定領域欄６０２には、測定領域Ｂ−１〜Ｂ−１５のそれぞれについて、水平角と垂直角の測定結果が表示され、フリッカ値は空欄にされている。水平角と垂直角の組み合わせの数は、１５（複数）である。
【００６８】
図１７に示す設定画面６０の文字領域６００には、「測定領域Ｂ−１〜Ｂ−１５の中から１つの測定領域（測定領域Ｃ）を選択し、選択した測定領域Ｃに対して、測定領域欄６０２に示される水平角と垂直角（角度と方向）の全ての組み合わせについて、フリッカ値を測定して下さい。測定結果を、測定領域欄６０２に示される測定領域Ｂ−１〜Ｂ−１５のそれぞれに対応するフリッカ値の欄に入力して下さい。」が表示される。
【００６９】
ここでは、測定領域Ｃとして、水平角０度かつ垂直角０度で規定される測定領域Ｂ−８が選択されたとする。図１８は、測定領域Ｂ−８（測定領域Ｃ）について、水平角と垂直角を変えて、フリッカ値が測定されている状態を示す模式図である。まず、測定者は、操作部３４（図３）を操作して、フリッカ値を補正しないモードにする。そして、測定者は、二次元フリッカ測定装置３から見て、測定領域Ｂ−８が水平角−６０度かつ垂直角＋４０度となる位置（測定領域Ｂ−１の位置に相当）に、二次元フリッカ測定装置３をセットする。測定者は、二次元フリッカ測定装置３を用いて、測定領域Ｂ−８のフリッカ値を測定する。この測定において、補正部３３２が用いられないので、測定されたフリッカ値は、算出部３３１が算出したフリッカ値（補正前のフリッカ値）である。測定されたフリッカ値がｆ−１とする。
【００７０】
次に、測定者は、二次元フリッカ測定装置３から見て、測定領域Ｂ−８が水平角−４０度かつ垂直角＋４０度となる位置（測定領域Ｂ−２の位置に相当）に、二次元フリッカ測定装置３をセットする。測定者は、二次元フリッカ測定装置３を用いて、測定領域Ｂ−８のフリッカ値を測定する。測定されたフリッカ値がｆ−２とする。水平角と垂直角の残りの組み合わせについても、同様にしてフリッカ値が測定される。測定されたフリッカ値がｆ−３〜ｆ−１５とする。
【００７１】
フリッカ値ｆ−１〜ｆ−１５は、所定の測定領域Ｃについて、角度と方向の複数の組み合わせの下で測定された複数のフリッカ値である。なお、二次元フリッカ測定装置３の替わりに、スポット型のフリッカ測定装置を用いて、これらのフリッカ値が測定されてもよい。
【００７２】
水平角と垂直角（角度と方向）の複数の組み合わせは、ＤＵＴ画面１（図２）に設定された測定領域１０−１〜１０−１５のそれぞれの水平角と垂直角（角度と方向）に一致している場合で説明したが、一致していなくてもよい。一致していない場合、生成部５２２は、ＤＵＴ画面Ａに設定された測定領域Ｂ−１〜Ｂ−１５のそれぞれの水平角と垂直角（角度と方向）から測定されたフリッカ値のうち、足りない水平角と垂直角について、フリッカ値を補間により求める。
【００７３】
測定者は、フリッカ値ｆ−１〜ｆ−１５が正常か否かを判断する。異常であれば、テーブル３３４の基礎にできないので、測定者は、ステップＳ１からやり直す。測定者は、フリッカ値ｆ−１〜ｆ−１５が正常と判断したとき、入力部５３を用いて、図１７に示す測定領域欄６０２に含まれるフリッカ値の欄に、フリッカ値ｆ−１〜ｆ−１５を入力する（ステップＳ２２）。図１９は、フリッカ値が入力された状態の設定画面６０を説明する説明図である。測定者は、図１９に示す設定画面６０に含まれる次へキー６０３を操作する。
【００７４】
演算処理部５２は、この操作に従って、図２０に示す設定画面６０を表示部５４に表示させる（ステップＳ２３）。図２０は、図１９に示す設定画面６０に含まれる次へキー６０３が操作されることにより、切り替えられた設定画面６０を説明する説明図である。設定画面６０には、角度欄６０４が追加されている。文字領域６００には、「フリッカ値を測定したい水平角と垂直角を入力して下さい。」が表示される。フリッカ値を測定したい水平角と垂直角とは、所定の角度と方向の意味である。
【００７５】
図３、図１６Ｂおよび図２０を参照して、測定者は、入力部５３を操作して、フリッカ値を測定したい水平角と垂直角（所定の角度と方向）を、角度欄６０４に入力する（ステップＳ２４）。例えば、水平角０度、垂直角０度が入力されたとする。この場合、測定領域Ｂ−８のフリッカ値ｆ−８が、測定対象物と同じ機種の測定対象物Ａに設定された所定の測定領域Ｃについて、所定の角度と方向から測定されたフリッカ値となる。演算処理部５２は、図２０に示す機種名欄６０１、測定領域欄６０２、角度欄６０４に含まれる情報を、記憶部５２３に記憶させる。記憶部５２３は、これらの情報を保存する。
【００７６】
測定者が、入力部５３を操作して、次へキー６０３を操作する。生成部５２２は、この操作に従って、角度欄６０４に入力した水平角と垂直角が、図２０に示す測定領域欄６０２に含まれる水平角と垂直角の１５個の組み合わせのうち、いずれかと一致するか否かを判断する（ステップＳ２５）。
【００７７】
水平角０度、垂直角０度が角度欄６０４に入力されているので、生成部５２２は、角度欄６０４に入力した水平角と垂直角が、１５個の組み合わせのうちいずれかと一致していると判断する（ステップＳ２５でＹｅｓ）。そして、生成部５２２は、テーブル３３４を生成する（ステップＳ２７）。これについては後で説明する。
【００７８】
例えば、水平角０度、垂直角＋２０度が角度欄６０４に入力されている場合、生成部５２２は、角度欄６０４に入力した水平角と垂直角が、１５個の組み合わせのいずれにも一致しないと判断する（ステップＳ２５でＮｏ）。そして、演算処理部５２は、図２１に示す設定画面６０を表示部５４に表示させる（ステップＳ２６）。図２１は、角度欄６０４に入力した水平角と垂直角が、図２０に示す測定領域欄６０２に含まれる水平角と垂直角の１５個の組み合わせのいずれとも一致しない場合に表示される設定画面６０を説明する説明図である。角度欄６０４には、フリッカ値を入力するための空欄が追加されている。文字領域６００には、「フリッカ値を測定したい水平角と垂直角の下で、上記選択した測定領域（測定領域Ｂ−８＝測定領域Ｃ）に対して、フリッカ値を測定して下さい。」が表示される。
【００７９】
測定者は、操作部３４を操作して、フリッカ値を補正しないモードにする。そして、測定者は、二次元フリッカ測定装置３から見て、測定領域Ｂ−８が水平角０度かつ垂直角＋２０度となる位置に、二次元フリッカ測定装置３をセットする。測定者は、二次元フリッカ測定装置３を用いて、測定領域Ｂ−８のフリッカ値を測定する。この測定において、補正部３３２が用いられないので、測定されたフリッカ値は、算出部３３１が算出したフリッカ値（補正前のフリッカ値）である。測定されたフリッカ値がｆ−０とする。測定者は、入力部５３を用いて、フリッカ値ｆ−０を角度欄６０４に含まれるフリッカ値の項目の空欄に入力する。演算処理部５２は、図２１に示す機種名欄６０１、測定領域欄６０２、角度欄６０４に含まれる情報を、記憶部５２３に記憶させる。記憶部５２３は、これらの情報を保存する。そして、次へキー６０３を操作する。これにより、生成部５２２は、テーブル３３４を生成する（ステップＳ２７）。
【００８０】
なお、生成部５２２は、角度欄６０４に入力した水平角と垂直角が、図２０に示す測定領域欄６０２に含まれる水平角と垂直角の１５個（複数）の組み合わせのいずれにも一致しないと判断した場合（ステップＳ２５でＮｏ）、補間を用いて、フリッカ値を算出してもよい。詳しく説明する。生成部５２２は、図２０に示す測定領域欄６０２に示される水平角、垂直角、フリッカ値の１５個（複数）の組み合わせに対して、補間することにより、角度欄６０４に入力した水平角と垂直角の下で測定されるフリッカ値を算出する。このように、テーブル３３４の第２の生成方法によれば、フリッカ値を測定したい水平角と垂直角が変えられても、補間により対応することができる。
【００８１】
テーブル３３４の生成について、ステップＳ２５でＹｅｓと判断された場合を例にして説明する。生成部５２２は、図２０に示すフリッカ値ｆ−１〜ｆ−１５とフリッカ値ｆ−８とを基にして、測定領域１０−１〜１０−１５（図２）のそれぞれの補正係数を算出し、テーブル３３４を生成する。測定領域１０−１〜１０−１５は、それぞれ、測定領域Ｂ−１〜Ｂ−１５と対応する。フリッカ値ｆ−１〜ｆ−１５のそれぞれを分子とし、フリッカ値ｆ−８がこれらの分母とした値が、補正係数となる。測定領域Ｂ−１を例にして説明する。フリッカ値ｆ−８／フリッカ値ｆ−１が、測定領域１０−１に割り当てられる補正係数である。ステップＳ２５でＮｏと判断された場合、生成部５２２は、フリッカ値ｆ−８の替わりにフリッカ値ｆ−０を用いて、テーブル３３４を生成する。
【００８２】
生成部５２２がテーブル３３４を生成した後、演算処理部５２は、図２２に示す設定画面６０を表示部５４に表示させる（ステップＳ２８）。図２２は、テーブル３３４を含む設定画面６０を説明する説明図である。このテーブル３３４は、フリッカ値を測定したい水平角、垂直角がそれぞれ０度の場合（ステップＳ２５でＹｅｓと判断された場合）に対応する。この設定画面６０は、次へキー６０３の替わりに確定キー６０５を含む。文字領域６００には、「テーブルの内容を確認して下さい。問題なければ、確定キーを操作して下さい。」が表示されている。
【００８３】
測定者が、入力部５３を操作して、確定キー６０５を操作する。以降のステップＳ１３、ステップＴ５）、図６Ｂに示すステップＳ１３、ステップＴ５と同じである。以上がテーブル３３４の第２の生成方法である。
【００８４】
テーブル３３４は、ＤＵＴの機種毎に予め生成され、記憶部３３３に記憶されている。テーブル３３４は、今回のフリッカの測定、および、今回以降の同じ機種のＤＵＴのフリッカの測定に用いられる。
【００８５】
次に、実施形態に係る二次元フリッカ測定装置３が、テーブル３３４を用いてフリッカを測定する動作について説明する。図２３は、これを説明するフローチャートである。図２、図３および図２３を参照して、フリッカの測定位置に、測定対象となるＤＵＴ画面１がセットされている。測定者は、操作部３４を操作して、フリッカ値を補正するモードにする（ステップＴ３１）。
【００８６】
なお、例えば、ＰＣ用の液晶ディスプレイの場合、フリッカ値を補正しないモードにされる。ＰＣ用の液晶ディスプレイの場合、人間が液晶ディスプレイの画面を見る位置と液晶ディスプレイの画面との距離が比較的近く、二次元フリッカ測定装置３と液晶ディスプレイ画面との距離と同等である。この場合、フリッカ値が補正されると、却って、二次元フリッカ測定装置３で測定されたフリッカ値を基にしたフリッカのムラと、人間が液晶ディスプレイの画面を見ているときに感じるフリッカのムラとに差が生じる。従って、このような場合、フリッカの測定者は、操作部３４を操作して、フリッカ値を補正しないモードにする。
【００８７】
測定者は、操作部３４を操作して、フリッカ値を測定する命令をする。演算処理部３３は、この命令に従って、二次元撮像素子３２に所定のフレームレートでＤＵＴ画面１を撮影させる（ステップＴ３２）。これにより、二次元撮像素子３２から出力されるＤＵＴ画面１の各画素の輝度を示す輝度信号ＳＧが演算処理部３３に入力する。
【００８８】
算出部３３１は、演算処理部３３に入力した輝度信号ＳＧ（測光量の一例）を基にして、ＤＵＴ画面１に設定された測定領域１０−１〜１０−１５のぞれぞれのフリッカ値を算出する（ステップＴ３３）。
【００８９】
補正部３３２は、このＤＵＴ画面１に割り当てられたテーブル３３４を用いて、測定領域１０−１〜１０−１５のぞれぞれのフリッカ値を補正する（ステップＴ３４）。演算処理部３３は、測定領域１０−１〜１０−１５のぞれぞれの補正されたフリッカ値を、操作部３４のディスプレイに表示させる（ステップＴ３５）。
【００９０】
なお、モバイル用の液晶ディスプレイは、小型なので、複数の液晶ディスプレイが並べられて、フリッカ値が一度に測定される。スマートフォン用の液晶ディスプレイを例にして説明する。図２４は、フリッカ値の測定のために並べて配置された複数のスマートフォンＳＰの模式図である。二次元フリッカ測定装置３に備えられる二次元撮像素子３２の撮影範囲Ｒ内に、複数のスマートフォンＳＰが行列状に並べられている。複数のスマートフォンＳＰのそれぞれの液晶ディスプレイの画面（ＤＵＴ画面１）対して、複数の測定領域（不図示）が設定され、または、その画面の中心に１つの測定領域（不図示）が設定される。
【００９１】
（実施形態の纏め）
実施形態の第１局面に係る二次元フリッカ測定装置は、二次元撮像素子と、前記二次元撮像素子が測定対象物を撮影することにより得られる前記測定対象物の測光量を基にして、前記測定対象物に設定された複数の測定領域のぞれぞれのフリッカ値を算出する算出部と、前記複数の測定領域のそれぞれの前記フリッカ値を、所定の角度と方向から前記複数の測定領域のそれぞれが測光された場合に相当する前記フリッカ値に補正する補正部と、を備える。
【００９２】
測光量（明るさ）は、輝度および画像情報信号を総称する物理量である。輝度は、視感度曲線Ｖ（λ）の分光感度特性を持つ二次元撮像素子が測定した測定対象物の光強度である。画像情報信号は、任意の分光感度特性を持つ二次元撮像素子が測定対象物を撮像することにより、二次元撮像素子が生成する光強度信号（ＲＡＷ画像データ）である。
【００９３】
所定の角度と方向は、例えば、測定対象物の面の法線を基準にして定められる。二次元フリッカ測定装置の光軸が、水平角０度かつ垂直角０度で規定される角度と方向にされたとき、光軸と法線とが一致する。所定の角度と方向は、例えば、人間が測定対象物を見る位置から見た測定領域の角度と方向と同じでもよいし、略同じでもよい。略同じとは、二次元フリッカ測定装置で測定されたフリッカ値を基にしたフリッカのムラと、人間が測定対象物を見る位置から測定対象物を見ているときに感じるフリッカのムラとに差が生じない程度を意味する。
【００９４】
補正部は、複数の測定領域のそれぞれのフリッカ値を、所定の角度と方向から複数の測定領域のそれぞれが測光された場合に相当するフリッカ値に補正する。従って、実施形態の第１局面に係る二次元フリッカ測定装置によれば、二次元フリッカ測定装置から見た測定領域の角度と方向を考慮して、測定対象物に設定された複数の測定領域のそれぞれのフリッカ値を測定することができる。
【００９５】
上記構成において、前記複数の測定領域のそれぞれの前記フリッカ値を、前記所定の角度と方向から前記複数の測定領域のそれぞれが測光された場合に相当する前記フリッカ値に変換するテーブルを予め記憶する記憶部をさらに備え、前記補正部は、前記テーブルを用いて前記補正をする。
【００９６】
この構成は、記憶部に予め記憶されているテーブルを用いて、フリッカ値を補正する。これは、フリッカ値を補正する手法の一例である。他の例として、補正式が予め記憶部に記憶されており、補正部は、この補正式を用いてフリッカ値を補正する手法がある。
【００９７】
上記構成において、前記算出部によって算出された、前記複数の測定領域のそれぞれの前記フリッカ値を、前記補正部が前記補正をするか否かを選択する操作が可能な操作部をさらに備える。
【００９８】
例えば、ＰＣ用の液晶ディスプレイの場合、人間が液晶ディスプレイの画面を見る位置と液晶ディスプレイの画面との距離が比較的近く、二次元フリッカ測定装置と液晶ディスプレイ画面との距離と同等である。この場合、フリッカ値が補正されると、却って、二次元フリッカ測定装置で測定されたフリッカ値を基にしたフリッカのムラと、人間がＰＣ用の液晶ディスプレイの画面を見ているときに感じるフリッカのムラとに差が生じる。従って、このような場合、測定者は、操作部を操作して、フリッカ値を補正しない選択をする。
【００９９】
実施形態の第２局面に係る二次元フリッカ測定方法は、二次元撮像素子が測定対象物を撮影することにより得られる前記測定対象物の測光量を基にして、前記測定対象物に設定された複数の測定領域のぞれぞれのフリッカ値を算出する算出ステップと、前記複数の測定領域のそれぞれの前記フリッカ値を、所定の角度と方向から前記複数の測定領域のそれぞれが測光された場合に相当する前記フリッカ値に補正する補正ステップと、を備える。
【０１００】
実施形態の第２局面に係る二次元フリッカ測定方法は、実施形態の第１局面に係る二次元フリッカ測定装置を方法の観点から規定しており、実施形態の第１局面に係る二次元フリッカ測定装置と同様の作用効果を有する。
【０１０１】
実施形態の第３局面に係る二次元フリッカ測定プログラムは、二次元撮像素子が測定対象物を撮影することにより得られる前記測定対象物の測光量を基にして、前記測定対象物に設定された複数の測定領域のぞれぞれのフリッカ値を算出する算出ステップと、前記複数の測定領域のそれぞれの前記フリッカ値を、所定の角度と方向から前記複数の測定領域のそれぞれが測光された場合に相当する前記フリッカ値に補正する補正ステップと、をコンピュータに実行させる。
【０１０２】
実施形態の第３局面に係る二次元フリッカ測定プログラムは、実施形態の第１局面に係る二次元フリッカ測定装置をプログラムの観点から規定しており、実施形態の第１局面に係る二次元フリッカ測定装置と同様の作用効果を有する。
【０１０３】
上記構成において、前記補正ステップは、前記算出ステップによって算出された、前記複数の測定領域のそれぞれの前記フリッカ値を、前記所定の角度と方向から前記複数の測定領域のそれぞれが測光された場合に相当する前記フリッカ値に変換するテーブルを用いて、前記補正をする。
【０１０４】
この構成は、テーブルを用いて、フリッカ値を補正する。
【０１０５】
上記構成において、前記算出ステップの前に、前記複数の測定領域のそれぞれに割り当てられた複数の補正係数を含む前記テーブルを予め生成する生成ステップを、さらにコンピュータに実行させる。
【０１０６】
この構成によれば、二次元フリッカ測定プログラムのユーザ（測定者）が、二次元フリッカ測定プログラムを用いて、テーブルを生成することができる。
【０１０７】
上記構成において、前記生成ステップは、前記測定対象物と同じ機種の測定対象物Ａに設定された、複数の測定領域Ｂのそれぞれについて、前記所定の角度と方向から測定された前記フリッカ値と、前記複数の測定領域のそれぞれの前記フリッカ値が測定される際に、前記二次元撮像素子を備える二次元フリッカ測定装置が設置される位置から、前記二次元フリッカ測定装置を用いて得られた、前記複数の測定領域Ｂのそれぞれの前記補正前の前記フリッカ値と、を基にして、前記複数の補正係数を算出する。
【０１０８】
テーブルの内容は、測定対象物の機種に応じて異なる。この構成によれば、測定対象物の機種に応じたテーブルを生成することができる。測定対象物Ａは、測定対象物と同じ機種であり、複数の測定領域Ｂが設定される。以下、測定対象物と測定対象物Ａとは区別して記載されており、複数の測定領域と複数の測定領域Ｂとは区別して記載されている。
【０１０９】
測定対象物Ａに設定された複数の測定領域Ｂの数、位置は、測定対象物に設定された複数の測定領域の数、位置と同じでもよいし、異なっていてもよい。異なっている場合、生成ステップは、複数の測定領域Ｂのフリッカ値を補間することにより、必要となるフリッカ値を求める。
【０１１０】
複数の測定領域Ｂのそれぞれの補正前のフリッカ値は、次のようにして得られる。二次元フリッカ測定装置の位置は、測定対象物に設定された複数の測定領域のそれぞれのフリッカ値を測定する場合と同じである。この状態で、二次元撮像素子は、複数の測定領域Ｂのそれぞれを測光し、測光量を示す信号を出力する。算出部は、測光量を示す信号を基にして、複数の測定領域Ｂのそれぞれのフリッカ値を算出する。これらのフリッカ値が、複数の測定領域Ｂのそれぞれの補正前のフリッカ値である。
【０１１１】
補正係数について具体例で説明する。測定対象物に設定された複数の測定領域が、１５個の測定領域１０−１〜１０−１５とし、測定対象物Ａに設定された複数の測定領域Ｂが、１５個の測定領域Ｂ−１〜Ｂ−１５とする。１５個の測定領域Ｂ−１〜Ｂ−１５は、１５個の測定領域１０−１〜１０−１５と同じ位置にある。測定領域Ｂ−１について、所定の角度と方向から測定されたフリッカ値がＦ−１とする。二次元フリッカ測定装置を用いて得られた、測定領域Ｂ−１の補正前のフリッカ値ｆ−１とする。測定領域１０−１に割り当てられる補正係数は、Ｆ−１／ｆ−１となる。測定領域１０−２〜１０−１５に割り当てられる補正係数についても同様にして求められる。
【０１１２】
上記構成において、前記生成ステップは、前記測定対象物と同じ機種の測定対象物Ａに設定された所定の測定領域Ｃについて、前記所定の角度と方向から測定された前記フリッカ値と、前記所定の測定領域Ｃについて、角度と方向の複数の組み合わせの下で測定された複数の前記フリッカ値と、を基にして、前記複数の補正係数を算出する。
【０１１３】
テーブルの内容は、測定対象物の機種に応じて異なる。この構成によれば、測定対象物の機種に応じたテーブルを生成することができる。
【０１１４】
所定の角度と方向が、角度と方向の複数の組み合わせの中に含まれる場合、所定の測定領域Ｃについて、所定の角度と方向からのフリッカ値の測定は省略できる。
【０１１５】
角度と方向の複数の組み合わせは、測定対象物に設定された複数の測定領域のそれぞれの角度と方向に一致していてもよいし、一致していなくてもよい。測定対象物に設定された複数の測定領域の数が１５を例にして説明する。前者は、測定対象物に設定された１５個の測定領域のそれぞれの角度と方向が、角度と方向の１５個の組み合わせと一致することである。後者の場合、生成ステップは、測定対象物に設定された１５個の測定領域のそれぞれの角度と方向から測定されたフリッカ値のうち、足りない角度と方向のフリッカ値を補間により求める。すなわち、足りない角度と方向のフリッカ値は、所定の測定領域Ｃについて、角度と方向の複数の組み合わせの下で測定されたフリッカ値を補間することにより求められる。
【０１１６】
補正係数について具体例で説明する。測定対象物に設定された複数の測定領域が、１５個の測定領域１０−１〜１０−１５とし、測定対象物Ａに設定された複数の測定領域Ｂが、１５個の測定領域Ｂ−１〜Ｂ−１５とする。１５個の測定領域Ｂ−１〜Ｂ−１５は、１５個の測定領域１０−１〜１０−１５と同じ位置にある。所定の測定領域Ｃについて、所定の角度と方向から測定されたフリッカ値がｆ−０とする。所定の測定領域Ｃについて、測定領域Ｂ−１の角度と方向から測定されたフリッカ値がｆ−１とする。測定領域１０−１に割り当てられる補正係数は、ｆ−０／ｆ−１となる。測定領域１０−２〜１０−１５に割り当てられる補正係数についても同様にして求められる。
【０１１７】
本発明の実施形態が詳細に図示され、かつ、説明されたが、それは単なる図例及び実例であって限定ではない。本発明の範囲は、添付されたクレームの文言によって解釈されるべきである。
【０１１８】
２０１８年９月１３日に提出された日本国特許出願特願２０１８−１７１５６０は、その全体の開示が、その全体において参照によりここに組み込まれる。
【産業上の利用可能性】
【０１１９】
本発明によれば、二次元フリッカ測定装置、二次元フリッカ測定方法、および、二次元フリッカ測定プログラムを提供することができる。
【図１】
2020054209.tif 000003
【図２】
2020054209.tif 000004
【図３】
2020054209.tif 000005
【図４】
2020054209.tif 000006
【図５】
2020054209.tif 000007
【図６Ａ】
2020054209.tif 000008
【図６Ｂ】
2020054209.tif 000009
【図７】
2020054209.tif 000010
【図８】
2020054209.tif 000011
【図９】
2020054209.tif 000012
【図１０】
2020054209.tif 000013
【図１１】
2020054209.tif 000014
【図１２】
2020054209.tif 000015
【図１３】
2020054209.tif 000016
【図１４】
2020054209.tif 000017
【図１５】
2020054209.tif 000018
【図１６Ａ】
2020054209.tif 000019
【図１６Ｂ】
2020054209.tif 000020
【図１７】
2020054209.tif 000021
【図１８】
2020054209.tif 000022
【図１９】
2020054209.tif 000023
【図２０】
2020054209.tif 000024
【図２１】
2020054209.tif 000025
【図２２】
2020054209.tif 000026
【図２３】
2020054209.tif 000027
【図２４】
2020054209.tif 000028
【国際調査報告】
2020054209.tif 000029
2020054209.tif 000030